(57)【特許請求の範囲】
【請求項１】
四角形の底面部の外縁部より上方に至るに従い次第に外方に傾斜するように起こされて皿状に形成された底部と、該底部の上方から一体に続く四角錐状部と、該四角錐状部の稜線部に設けた口部を解放可能に閉塞し得る蓋片と、を設けてなる網目状の篭体と、正方形状の外枠を有し、前記篭体の皿状の底部内側における底面部上に設けられ、前記篭体の底面部と連結される正方形枠体と、前記篭体を吊下げることができる吊ロープとを備えた中間育成籠において、
前記蓋片は、前記四角錐状部の稜線部に設けた口部を解放可能に閉塞し得る重なり片であり、前記四角錐状部の稜線部の頂部から重なりの幅を徐々に狭くし前記底部の傾斜立上がり稜線部で終わり、前記頂部から適宜長さ部分を縫合して閉塞部を形成し、残り部分は縫合せず解放した解放部とすることを特徴とする中間育成籠の重ね口構造。
【請求項２】
前記解放部を５〜２５ｃｍとすることを特徴とする請求項１記載の中間育成籠の重ね口構造。
【発明の詳細な説明】
【技術分野】
【０００１】
本発明は、開口部の縫合・解糸作業をなくし作業時間の短縮を図ることができる中間育成籠の重ね口構造に関するものである。
【背景技術】
【０００２】
従来、養殖篭導入期、開口部は縫い糸で閉じることで篭内の貝類の脱落を防止し、出荷時あるいは入れ替え作業時にこの縫い糸を外して広がった開口部から貝類を出し入れしていた。
開口部を縫合する篭の場合、出荷時あるいは入れ替え作業時に縫い糸を外し、篭を振ることで開口部下部から貝を放出させていた方法は、長年の作業の中で手馴れた方法であり、この放出方法で作業できることが作業時間の短縮と人件費の圧縮になっている。
しかし、篭の洗浄等の作業終了後、改めて開口部を縫合する作業を要し、その分人件費が掛かっていた。また開口部を縫合する篭では縫合のために時間を要するため、開口部の重ね口の開発が望まれていた。近年、この経費を軽減するため、開口部の重ね口を発明し、作業と経費を軽減することができるようになった。
【０００３】
これまでに開発された開口部の重ね口は、ホタテ養殖篭に形成されている出し入れ口にベルクロファスナーを用いたもの（特許文献１を参照）、中間育成籠の垂下展張に係る張力で収納口を圧着接合するもの（特許文献２を参照）、中間育成籠に蓋片を設けるもの（特許文献３を参照）、中間育成籠の蓋片を起立重ね合わせるもの（特許文献４を参照）、中間育成籠の蓋片を内方に潜らせるもの（特許文献５を参照）、中間育成籠の蓋片に形状保持用芯材を設けるもの（特許文献６を参照）、養殖篭の左右蓋片の口縁部が互いに反対側で交叉して重なり合うもの（特許文献７を参照）、養殖篭の開口部の左右両開口縁にエッジ部を立ち上げたもの（特許文献８を参照）が公知となっている。
【０００４】
このような従来の開口部の重ね口は、開口部下部まで重なりがあるため海中での貝の脱落は防止できていた。しかしながら、この重ね口も貝の入れ替え作業と出荷時に開口部の下部に貝が挟まるため、更に作業時間短縮ができる重ね口の改善が求められていた。
【先行技術文献】
【特許文献】
【０００５】
【特許文献１】実公平６−４６２９８号公報
【特許文献２】特開平１１−２２０９７１号公報
【特許文献３】特開２０００−３２８６６号公報
【特許文献４】特開２０００−３２８６８号公報
【特許文献５】特許第３２２２１０７号公報
【特許文献６】特開２００１−２３８５６２号公報
【特許文献７】特許第３３１０９３３号公報
【特許文献８】特許第４３８５０４１号公報
【発明の概要】
【発明が解決しようとする課題】
【０００６】
本発明は、貝の入れ替え作業と出荷時に開口部の下部に貝が挟まることがなく、作業時間短縮ができる中間育成籠の重ね口構造を提供することを目的とする。
【課題を解決するための手段】
【０００７】
本発明の中間育成籠の重ね口構造は、四四角形の底面部の外縁部より上方に至るに従い次第に外方に傾斜するように起こされて皿状に形成された底部と、該底部の上方から一体に続く四角錐状部と、該四角錐状部の稜線部に設けた口部を解放可能に閉塞し得る蓋片と、を設けてなる網目状の篭体と、正方形状の外枠を有し、前記篭体の皿状の底部内側における底面部上に設けられ、前記篭体の底面部と連結される正方形枠体と、前記篭体を吊下げることができる吊ロープとを備えた中間育成籠において、
前記蓋片は、前記四角錐状部の稜線部に設けた口部を解放可能に閉塞し得る重なり片であり、前記四角錐状部の稜線部の頂部から重なりの幅を徐々に狭くし前記底部の傾斜立上がり稜線部で終わり、前記頂部から適宜長さ部分を縫合して閉塞部を形成し、残り部分は縫合せず解放した解放部とする。
前記解放部を５〜２５ｃｍとする。
【発明の効果】
【０００８】
本発明の中間育成籠の重ね口構造は、中間育成籠において、蓋片が、前記四角錐状部の稜線部の頂部から重なりの幅を徐々に狭くし前記底部の傾斜立上がり稜線部で終わり、前記頂部から適宜長さ部分を縫合して閉塞部を形成し、残り部分は縫合せず解放した解放部とするため、貝の入れ替え作業と出荷時に開口部の下部に貝が挟まることがなく、作業時間を短縮することが可能となる。
【図面の簡単な説明】
【０００９】
【図１】本発明の中間育成籠の斜視図である。
【図２】本発明の中間育成籠の重ね口構造の拡大斜視図である。
【発明を実施するための形態】
【００１０】
本発明の中間育成籠の重ね口構造の一実施例を添付図面に基づいて、以下に説明する。
図１の斜視図に示すように、本発明の中間育成籠は、四角形の底面部の外縁部より上方に至るに従い次第に外方に傾斜するように起こされて皿状に形成された底部１と、該底部１の上方に一体に続く四角錐状部２と、該四角錐状部２の稜線部３に設けた口部を解放可能に閉塞し得る蓋片４と、を設けてなる網目状の篭体５と、正方形状の外枠６を有し、前記篭体５の皿状の底部内側における底面部上に設けられ、前記篭体５の底面部と連結される正方形枠体７と、前記篭体５を吊下げることができる吊ロープ８とを備えている。
【００１１】
前記篭体５は、四角形の底面部の外縁部より上方に至るに従い次第に外方に傾斜するように起こされて皿状に形成された底部１を備え、該底部１の隅角部には外方に傾斜する傾斜立上がり稜線部９が形成される。そして、前記底部１の上方から一体に続く四角錐状部２が形成され、該四角錐状部２の稜線部３のいずれか一つに沿って貝の出し入れを行う口部を形成し、該口部を解放可能に閉塞し得る蓋片４を設ける。
【００１２】
前記蓋片４は、前記四角錐状部２の稜線部３に設けた口部を解放可能に閉塞し得る重なり片であり、前記四角錐状部２の稜線部３の頂部１５から重なりの幅を徐々に狭くし前記底部１の傾斜立上がり稜線部９で終わり、図２の拡大斜視図に示すように、前記頂部１５から適宜長さ部分を縫合して閉塞部１０を形成し、残り部分は縫合せず解放した解放部１１とする。中間育成する貝類の成長に合わせて前記解放部１１を５〜２５ｃｍとする。
【００１３】
前記正方形枠体７は、正方形状の外枠６を有し、該外枠６の中央に補強材１２を十字状に交叉させて補強する。前記正方形枠体７は、前記篭体５の皿状の底部内側における底面部上に設けられ、前記篭体５の底面部と前記外枠６の補強材１２とが連結される。
【００１４】
前記吊ロープ８は、前記四角錐状部２の頂部を集束縫合して固定させるためのループ状結節部１３を設けると共に、他の中間育成籠と連結させるための延長部１４が形成される。前記ループ状結節部１３を持って吊下げると、他の中間育成籠の重量により引張されて前記篭体５の四角錐状の形状が確保される。
【００１５】
次に、本発明の中間育成籠の重ね口構造の操作動作を添付図面に基づいて、以下に説明する。
貝の入れ替え作業と出荷時には、図２に示すように、本発明の中間育成籠を吊ロープ８からの引張力を弱めると、前記篭体５の四角錐状の形状が緩み、前記蓋片４も緩む。
そこで、前記四角錐状部２の稜線部３に設けた解放部１１を下向きにして篭体５を傾けると、前記蓋片４の閉塞部１０が縫合の矩形状となっていると共に重なりの幅を徐々に狭くし前記底部１の傾斜立上がり稜線部９で重なりをなくしているため、解放部１１が前記閉塞部１０に押されて外向きに開き自然に口部が開き、前記篭体５を振ることで、底部１の傾斜立上がり稜線部９に沿って貝が流れるように放出される。
このように、貝の入れ替え作業と出荷時に、開口部の下部に貝が挟まることがなく、作業時間を短縮することが可能となる。
なお、前記底部１の傾斜立上がり稜線部９があるため、海中での貝の脱落は防止できる。
【符号の説明】
【００１６】
１  底部
２  四角錐状部
３  稜線部
４  蓋片
５  篭体
６  外枠
７  正方形枠体
８  吊ロープ
９  傾斜立上がり稜線部
１０  閉塞部
１１  解放部
１２  補強材
１３  ループ状結節部
１４  延長部
１５ 頂部
【要約】
【課題】本発明は、貝の入れ替え作業と出荷時に開口部の下部に貝が挟まることがなく、作業時間短縮ができる中間育成籠の重ね口構造を提供する。
【解決手段】蓋片４は、四角錐状部２の稜線部３に設けた口部を解放可能に閉塞し得る重なり片であり、前記四角錐状部２の頂部から重なりの幅を徐々に狭くし底部１の傾斜立上がり稜線部９で終わり、前記頂部から適宜長さ部分を縫合して閉塞部１０を形成し、残り部分は縫合せず解放した解放部１１とする。前記四角錐状部２の稜線部３に設けた口部を下向きにして篭体５を傾けると、前記蓋片４の解放部１１が外向きに開き自然に口部が開き、前記篭体５を振ることで、底部１の傾斜立上がり稜線部９に沿って貝が流れるように放出される。
【選択図】図２【図１】
0006027196.tif 000002
【図２】
0006027196.tif 000003